(57)【要約】    【課題】  情報の機密性の向上及び著作権の保護を確実に行うことが可能な情報処理装置を提供する。    【解決手段】  システム制御部２００は、スキャナ２０２からの画像入力時に原稿中の無線タグの有する属性情報を読み出して属性情報に応じて装置の動作を制御すると共に属性情報を画像処理部２４１に基づいて更新し且つ原稿中の無線タグの有する属性情報を前記更新された属性情報に書き換え、プリンタ２０３への画像出力時に原稿中の無線タグの有する属性情報を画像処理部２４１に基づき更新して記録用紙中の無線タグへ新たに書き込むように制御する。【選択図】      図２
2005148240.tif 000002
【特許請求の範囲】
【請求項１】
原稿上の画像情報を読み取る画像読取工程と、前記画像読取工程で原稿上の画像情報を読み取って得たコピー画像情報を記録媒体に記録する複写工程とを備えた情報処理方法において、
所定の情報を記憶可能な情報媒体が付加された原稿上の画像情報を前記画像読取工程で読み取る際に当該原稿に付加されている情報媒体に記憶されている当該原稿のコピー世代情報を読み取る情報読取工程と、
前記情報読取工程により読み取られたコピー世代情報を更新する更新工程と、
前記複写工程でコピー画像情報が記録される記録媒体に付加されている情報媒体に前記更新工程で更新したコピー世代情報を書き込む書込工程と
を備えたことを特徴とする情報処理方法。
【請求項２】
前記原稿に付加されている情報媒体にはコピーを許可する最大世代を表す最大世代情報が記憶されており、該最大世代情報に従って前記複写工程による複写処理を制御する制御工程を備えたことを特徴とする請求項１に記載の情報処理方法。
【請求項３】
前記書込工程は、さらに前記最大世代情報を前記記録媒体に付加されている情報媒体に書き込むことを特徴とする請求項２に記載の情報処理方法。
【請求項４】
前記複写工程は、前記情報媒体が付加されている記録媒体以外へのコピー画像情報の記録を禁止することを特徴とする請求項１乃至３のいずれかに記載の情報処理方法。
【請求項５】
原稿上の画像情報を読み取る画像読取工程と、前記画像読取工程で原稿上の画像情報を読み取って得たコピー画像情報を記録媒体に記録する複写工程とを備えた情報処理方法において、
所定の情報を記憶可能な情報媒体が付加された原稿上の画像情報を前記画像読取工程で読み取る際に当該原稿に付加されている情報媒体に記憶されている当該原稿のコピー回数情報を読み取る情報読取工程と、
前記情報読取工程により読み取られたコピー回数情報を更新する更新工程と、
前記複写工程により当該原稿から得たコピー画像情報を記録媒体に記録した際に前記更新工程で更新したコピー回数情報を当該原稿に付加されている情報媒体に書き込む書込工程と
を備えたことを特徴とする情報処理方法。
【請求項６】
前記原稿に付加されている情報媒体には前記複写工程によるコピー画像情報の記録媒体への記録可能な最大枚数を示す最大記録枚数情報が記憶されており、該最大記録枚数情報に従って前記複写工程による複写処理を制御する制御工程を備えたことを特徴とする請求項５に記載の情報処理方法。
【請求項７】
前記書込工程は、さらに前記最大記録枚数情報を前記記録媒体に付加されている情報媒体に書き込むことを特徴とする請求項６に記載の情報処理方法。
【請求項８】
前記複写工程は、前記情報媒体が付加されている記録媒体以外へのコピー画像情報の記録を禁止することを特徴とする請求項５乃至７のいずれかに記載の情報処理方法。
【請求項９】
原稿上の画像情報を読み取る画像読取手段と、前記画像読取手段で原稿上の画像情報を読み取って得たコピー画像情報を記録媒体に記録する複写手段とを備えた情報処理装置において、
所定の情報を記憶可能な情報媒体が付加された原稿上の画像情報を前記画像読取手段で読み取る際に当該原稿に付加されている情報媒体に記憶されている当該原稿のコピー世代情報を読み取る情報読取手段と、
前記情報読取手段により読み取られたコピー世代情報を更新する更新手段と、
前記複写手段でコピー画像情報が記録される記録媒体に付加されている情報媒体に前記更新手段で更新したコピー世代情報を書き込む書込手段と
を備えたことを特徴とする情報処理装置。
【請求項１０】
前記原稿に付加されている情報媒体にはコピーを許可する最大世代を表す最大世代情報が記憶されており、該最大世代情報に従って前記複写手段による複写処理を制御する制御手段を備えたことを特徴とする請求項９に記載の情報処理装置。
【請求項１１】
前記書込手段は、さらに前記最大世代情報を前記記録媒体に付加されている情報媒体に書き込むことを特徴とする請求項１０に記載の情報処理装置。
【請求項１２】
前記複写手段は、前記情報媒体が付加されている記録媒体以外へのコピー画像情報の記録を禁止することを特徴とする請求項９乃至１１のいずれかに記載の情報処理装置。
【請求項１３】
原稿上の画像情報を読み取る画像読取手段と、前記画像読取手段で原稿上の画像情報を読み取って得たコピー画像情報を記録媒体に記録する複写手段とを備えた情報処理装置において、
所定の情報を記憶可能な情報媒体が付加された原稿上の画像情報を前記画像読取手段で読み取る際に当該原稿に付加されている情報媒体に記憶されている当該原稿のコピー回数情報を読み取る情報読取手段と、
前記情報読取手段により読み取られたコピー回数情報を更新する更新手段と、
前記複写手段により当該原稿から得たコピー画像情報を記録媒体に記録した際に前記更新手段で更新したコピー回数情報を当該原稿に付加されている情報媒体に書き込む書込手段と
を備えたことを特徴とする情報処理装置。
【請求項１４】
前記原稿に付加されている情報媒体には前記複写手段によるコピー画像情報の記録媒体への記録可能な最大枚数を示す最大記録枚数情報が記憶されており、該最大記録枚数情報に従って前記複写手段による複写処理を制御する制御手段を備えたことを特徴とする請求項１３に記載の情報処理装置。
【請求項１５】
前記書込手段は、さらに前記最大記録枚数情報を前記記録媒体に付加されている情報媒体に書き込むことを特徴とする請求項１４に記載の情報処理装置。
【請求項１６】
前記複写手段は、前記情報媒体が付加されている記録媒体以外へのコピー画像情報の記録を禁止することを特徴とする請求項１３乃至１５のいずれかに記載の情報処理装置。
【請求項１７】
請求項１乃至８に記載の情報処理方法を実現するためのコンピュータ読み取り可能なプログラムコードを有することを特徴とするプログラム。
【請求項１８】
請求項１乃至８に記載の情報処理方法を実現するためのコンピュータ読み取り可能なプログラムコードを保持することを特徴とする記憶媒体。
【発明の詳細な説明】
【技術分野】
【０００１】
本発明は、無線タグ等の情報媒体付きの原稿及び記録媒体を用いた情報処理方法、情報処理装置、プログラム及び記憶媒体に関する。
【背景技術】
【０００２】
従来の画像処理装置では、著作権の侵害や機密文書の不正コピー等が問題となっていた。そこで、複写機能を備えた画像処理装置に対し、著作権の保護や機密防止のための種々の装置や方法が提案されている。例えば、原稿に付された特定パターンの情報を検出した場合に、動作を停止する装置が提案されている（例えば、特許文献１参照）。
【０００３】
また、機密に係る文書が外部に流出した場合、この文書の流出元を判別するために、複写時の装置の識別情報や日時、時刻等の情報をバーコード、または目立たないデータパターンに変換し、これをコピーされた原稿の一部に付加する方法等が提案されている（例えば、特許文献２参照）。
【０００４】
また、鉄道の定期として使われるＩＣカードや万引き防止用のタグ等、無線認識のＩＣチップ（ＲＦＩＤチップ）は、広く使われている。中には、０．４ｍｍ角と非常に小さいＲＦＩＤチップも開発されてきている。このように微細なチップは、紙幣や証券等の紙に埋め込んだ応用が期待されている。
【特許文献１】特開平２−２６６７５９号公報
【特許文献２】特開平０７-０８４４８５号公報
【発明の開示】
【発明が解決しようとする課題】
【０００５】
しかしながら、従来の画像処理装置では、特定パターンの検出によりコピーを許可するか否かの２つの選択肢しかなく、例えば、特定の人間へのコピーのみ許可したい場合や、限られた部数のみの複写というように、多種多様な印刷サービスを行うことが不可能であるという問題点があった。
【０００６】
また、バーコード等を原稿に付加する方法では、付加情報を読み取ることしかできず、不正な文書が流出した際の流出元を特定することはできるが、不正な文書の流出を防止する方法としては有効でないという問題点があった。
【０００７】
そこで、本発明は、情報の機密性の向上及び著作権の保護を確実に行うことが可能な情報処理方法、情報処理装置、プログラム及び記憶媒体を提供することを目的とする。
【課題を解決するための手段】
【０００８】
上記目的を達成するために、本発明の情報処理方法は、原稿上の画像情報を読み取る画像読取工程と、前記画像読取工程で原稿上の画像情報を読み取って得たコピー画像情報を記録媒体に記録する複写工程とを備えた情報処理方法において、所定の情報を記憶可能な情報媒体が付加された原稿上の画像情報を前記画像読取工程で読み取る際に当該原稿に付加されている情報媒体に記憶されている当該原稿のコピー世代情報を読み取る情報読取工程と、前記情報読取工程により読み取られたコピー世代情報を更新する更新工程と、前記複写工程でコピー画像情報が記録される記録媒体に付加されている情報媒体に前記更新工程で更新したコピー世代情報を書き込む書込工程とを備えたことを特徴とする。
【０００９】
また、上記目的を達成するために、本発明の情報処理方法は、原稿上の画像情報を読み取る画像読取工程と、前記画像読取工程で原稿上の画像情報を読み取って得たコピー画像情報を記録媒体に記録する複写工程とを備えた情報処理方法において、所定の情報を記憶可能な情報媒体が付加された原稿上の画像情報を前記画像読取工程で読み取る際に当該原稿に付加されている情報媒体に記憶されている当該原稿のコピー回数情報を読み取る情報読取工程と、前記情報読取工程により読み取られたコピー回数情報を更新する更新工程と、前記複写工程により当該原稿から得たコピー画像情報を記録媒体に記録した際に前記更新工程で更新したコピー回数情報を当該原稿に付加されている情報媒体に書き込む書込工程とを備えたことを特徴とする。
【００１０】
また、上記目的を達成するために、本発明の情報処理装置は、原稿上の画像情報を読み取る画像読取手段と、前記画像読取手段で原稿上の画像情報を読み取って得たコピー画像情報を記録媒体に記録する複写手段とを備えた情報処理装置において、所定の情報を記憶可能な情報媒体が付加された原稿上の画像情報を前記画像読取手段で読み取る際に当該原稿に付加されている情報媒体に記憶されている当該原稿のコピー世代情報を読み取る情報読取手段と、前記情報読取手段により読み取られたコピー世代情報を更新する更新手段と、前記複写手段でコピー画像情報が記録される記録媒体に付加されている情報媒体に前記更新手段で更新したコピー世代情報を書き込む書込手段とを備えたことを特徴とする。
【００１１】
更に、上記目的を達成するために、本発明の情報処理装置は、原稿上の画像情報を読み取る画像読取手段と、前記画像読取手段で原稿上の画像情報を読み取って得たコピー画像情報を記録媒体に記録する複写手段とを備えた情報処理装置において、所定の情報を記憶可能な情報媒体が付加された原稿上の画像情報を前記画像読取手段で読み取る際に当該原稿に付加されている情報媒体に記憶されている当該原稿のコピー回数情報を読み取る情報読取手段と、前記情報読取手段により読み取られたコピー回数情報を更新する更新手段と、前記複写手段により当該原稿から得たコピー画像情報を記録媒体に記録した際に前記更新手段で更新したコピー回数情報を当該原稿に付加されている情報媒体に書き込む書込手段とを備えたことを特徴とする。
【発明の効果】
【００１２】
本発明によれば、情報の機密性を高めたり、著作権の保護を確実に行うことが可能となる。
【発明を実施するための最良の形態】
【００１３】
本発明の情報処理方法、情報処理装置、プログラム及び記憶媒体の実施形態について、図面を参照しながら説明する。
【００１４】
本発明では、書き換え可能なＲＦＩＤチップ（以下無線タグと称する）を埋め込んだ原稿及び記録媒体を用い、画像読み取り手段からの画像入力時、原稿中に埋め込まれた情報媒体である無線タグから原稿画像の属性情報を読み出し、この属性情報に応じて装置の動作を制御すると共に、装置の動作工程に基づき更新された属性情報を、原稿の無線タグ中のデータを更新すると共に、記録媒体中の無線タグにも前記属性情報を新たに生成し、書き込むことにより原稿中の内容物の機密性を高めるシステムを提供するものである。
【００１５】
前記装置は、その実施形態として、画像読み取り手段からの画像入力時、原稿中の無線タグから原稿画像の印刷枚数情報と世代情報とを読み出し、前記印刷枚数情報及び世代情報に応じて印刷可能な枚数を制限する。
【００１６】
また、当該工程に基づき、原稿中の無線タグの世代情報及び印刷枚数情報を更新して前記無線タグ中のデータを更新すると共に、記録媒体中の無線タグ中に新たに生成した印刷枚数情報と世代情報とを登録して出力する。
【００１７】
［第１の実施形態］
〔システムの概要説明〕
図１は、本実施の形態に係る情報処理装置を有する情報処理システム全体の構成を示す図である。
【００１８】
図１において、１０１は本実施の形態に係る情報処理装置（以下、必要に応じて本装置と記述する。）で、スキャナとプリンタとから構成されている。本装置１０１は、スキャナから読み込んだ画像をローカルエリアネットワーク（以下、ＬＡＮと記述する。）１０２に流したり、ＬＡＮ１０２から受信した画像をプリンタによりプリントアウトできる。また、本装置１０１は、スキャナから読み込んだ画像を図示しないＦＡＸ（ファクシミリ）送信手段により、ＰＳＴＮ（またはＩＳＤＮ）１０３に送信したり、ＰＳＴＮ（またはＩＳＤＮ）１０３から受信した画像をプリンタによりプリントアウトできる。１０４はデータベースサーバで、本装置１０１により読み込んだ２値画像及び多値画像をデータベースとして管理するものである。
【００１９】
１０５はデータベースサーバ１０４のデータベースクライアントで、データベース１０４に保存されている画像データを閲覧／検索等できる。１０６は電子メールサーバで、本装置１０１により読み取った画像を電子メールの添付として受け取ることができる。１０７は電子メールクライアントで、電子メールサーバ１０６が受け取ったメールを受信し、閲覧したり、電子メールを送信したりすることが可能である。
【００２０】
１０８はＷＷＷサーバで、ＨＴＭＬ文書をＬＡＮ１０２に提供するサーバである。このＷＷＷサーバ１０８から提供されるＨＴＭＬ文書を本装置１０１によりプリントアウトできる。１０９はルータで、ＬＡＮ１０２をインターネット／イントラネット１１０と連結させるものである。１１０はインターネット／イントラネットで、これに、本装置１０１、データベースサーバ１０４、電子メールサーバ１０６、ＷＷＷサーバ１０８と同様の情報処理装置１０１′、データベースサーバ１０４′、電子メールサーバ１０６′、ＷＷＷサーバ１０８′がそれぞれ連結されている。一方、本装置１０１は、ＰＳＴＮ（またはＩＳＤＮ）１０３を介して、ＦＡＸ装置１１１と送受信可能になっている。また、ＬＡＮ１０２上にプリンタ１１２が連結されており、本装置１０１により読み取った画像をプリンタ１１２によりプリントアウトできるようになっている。
【００２１】
〔情報処理装置の概要説明〕
図２は、本実施の形態に係る情報処理装置１０１の全体構成を示すブロック図である。
【００２２】
図２において、２０１はコントローラユニットで、画像入力デバイスであるスキャナ２０２や画像出力デバイスであるプリンタ２０３と接続され、一方では、ＬＡＮ２０４や公衆回線（ＷＡＮ）２０５と接続されることで、画像情報やデバイス情報の入出力、ＰＤＬデータのイメージ展開を行うものである。
【００２３】
〔システム制御部の概要説明〕
引き続き、図２を用いて、本実施の形態に係る情報処理装置１０１におけるシステム制御部について説明する。
【００２４】
図２において、２００はシステム制御部、２０１はコントローラユニット、２４１は画像処理部である。
【００２５】
システム制御部２００において、２０６ａ，２０６ｂはＣＰＵ（中央演算処理装置）で、システム全体を制御するプロセッサである。これらＣＰＵ２０６ａ，２０６ｂは、共通のＣＰＵバス２０７に接続され、更に、システムバスブリッジ２０８に接続されている。このシステムバスブリッジ２０８はバススイッチである。このシステムバスブリッジ２０８には、ＣＰＵバス２０７、ＲＡＭ（ランダムアクセスメモリ）コントローラ２０９、ＲＯＭ（リードオンリーメモリ）コントローラ２１０、ＩＯバス（１）２１１、サブバススイッチ２１２、ＩＯバス（２）２１３、画像リングインターフェース（１）２１４、画像リングインターフェース（２）２１５が、それぞれ接続されている。
【００２６】
サブバススイッチ２１２は第２のバススイッチである。このサブバススイッチ２１２には、画像ＤＭＡ（１）２１６、画像ＤＭＡ（２）２１７、フォント伸張部２１８、ソート回路２１９、ビットマップトレース回路２２０が接続されている。サブバススイッチ２１２により、これらのＤＭＡ２１６，２１７から出力されるメモリアクセス要求を調停し、システムバスブリッジ２０８への接続を行う。
【００２７】
２２１はＲＡＭ（ランダムアクセスメモリ）で、ＣＰＵ２０６が動作するためのシステムワークメモリであり、画像データを一時記憶するための画像メモリでもあり、ＲＡＭコントローラ２０９により制御される。本実施の形態では、ダイレクトＲＤＲＡＭを採用している。２２２はＲＯＭ（リードオンリーメモリ）で、ブートＲＯＭからなり、システムのブートプログラムが格納されていて、ＲＯＭコントローラ２１０により制御される。
【００２８】
画像ＤＭＡ（１）２１６は画像圧縮部２２３に接続されている。この画像ＤＭＡ（１）２１６は、レジスタアクセスリング２２４を介して設定された情報に基づき、画像圧縮部２２３を制御し、ＲＡＭ２２１上にある非圧縮データの読み出し、圧縮、圧縮後データの書き戻し等を行う。本実施の形態では、ＪＰＥＧを圧縮アルゴリズムに採用している。
【００２９】
画像ＤＭＡ（２）２１７は画像伸張部２２５に接続されている。この画像ＤＭＡ（２）２１７は、レジスタアクセスリング２２４を介して設定された情報に基づき、画像伸張部２２５を制御し、ＲＡＭ２２１上にある圧縮データの読み出し、伸張、伸張後データの書き戻し等を行う。本実施の形態では、ＪＰＥＧを伸張アルゴリズムに採用している。
【００３０】
フォント伸張部２１８は、ＬＡＮコントローラ２２６等を介し、外部より転送されるＰＤＬデータに含まれるフォントコードに基づき、ＲＯＭ２２２、若しくはＲＡＭ２２１内に格納された圧縮フォントデータの伸張を行うものである。本実施の形態では、ＦＢＥアルゴリズムを採用している。ソート回路２１９は、ＰＤＬデータを展開する段階で生成されるディスプレイリストのオブジェクトの順番を並び換える回路である。ビットマップトレース回路２２０は、ビットマップデータより、エッジ情報を抽出する回路である。
【００３１】
ＩＯバス（１）２１１は内部のＩＯバスの一種であり、このＩＯバス（１）２１１には、標準バスであるＵＳＢバスのコントローラ、ＵＳＢインターフェース２２７、汎用シリアルポート２２８、インタラプトコントローラ２２９、ＧＰＩＯインターフェース２３０、操作部インターフェース２３１、ＲＦＩＤインターフェース２６８が、それぞれ接続されている。ＩＯバス（１）２１１には、バスアービタ（図示せず）が含まれる。操作部インターフェース２３１は、操作部２３２のインターフェース部で、この操作部２３２に表示する画像データをこの操作部２３２に対して出力するものである。また、操作部インターフェース２３１は、操作部２３２から本装置１０１の使用者が入力した情報を、ＣＰＵ２０６ａ，２０６ｂに伝えるものである。
【００３２】
ＩＯバス（２）２１３は内部のＩＯバスの一種であり、このＩＯバス（２）２１３には、汎用バスインターフェース（１）２３３ａ及び汎用バスインターフェース（２）２３３ｂと、ＬＡＮコントローラ２２６が、それぞれ接続されている。ＩＯバス（２）２１３には、バスアービタ（図示せず）が含まれる。汎用バスインターフェース（１）２３３ａ及び汎用バスインターフェース（２）２３３ｂは、互いに同一構成であって、標準ＩＯバスをサポートするバスブリッジである。本実施の形態では、汎用バスインターフェースとしてＰＣＩバスを採用している。一方の汎用バスインターフェース（１）２３３ａには、一方のＰＣＩバス（１）２３４ａが、他方の汎用バスインターフェース（２）２３３ｂには、他方のＰＣＩバス（２）２３４ｂが、それぞれ接続されている。
【００３３】
２３５はＨＤＤ（ハードディスクドライブ）で、システムソフトウェア、画像データと各画像データに対応するページ情報やジョブ情報を格納するものである。ＨＤＤ２３５は、ディスクコントローラ２３６を介して一方のＰＣＩバス２３４ａに接続されている。ＬＡＮコントローラ２２６は、ＭＡＣ回路２３７、ＰＨＹ／ＰＭＤ回路２３８を介しＬＡＮ２０４に接続されており、情報の入出力を行うものである。２３９はモデムで、一方のＰＣＩバス２３４ａと公衆回線２０５に、それぞれ接続され、情報の入出力を行うものである。
【００３４】
〔画像処理部の概要説明〕
引き続き、図２を用いて画像処理部について説明する。
【００３５】
２４０は画像リングで、一対の単方向接続経路の組み合わせにより構成されている。画像リング２４０は、画像処理部２４１内で、画像リングインターフェース（３）２４２及び画像リングインターフェース（４）２４３を介し、タイル伸張部２４４、コマンド処理部２４５、ステータス処理部２４６、タイル圧縮部２４７に接続されている。
【００３６】
タイル伸張部２４４は、画像リングインターフェース（３）２４２への接続に加え、タイルバス２４８に接続されている。タイル伸張部２４４は、画像リング２４０より入力された圧縮後の画像データを伸張し、タイルバス２４８へ転送するバスブリッジである。タイルバス２４８は、１ページの画像データを所定の大きさの単位ブロック（タイルと呼ぶ）に分割し、タイル単位でデータ処理及び転送を行うバスである。本実施の形態では、多値画像データにはＪＰＥＧを、２値画像データにはパックビッツを伸張アルゴリズムとして採用している。
【００３７】
タイル圧縮部２４７は、画像リングインターフェース（４）２４３への接続に加え、タイルバス２４８に接続されている。タイル圧縮部２４７は、タイルバス２４８より入力された圧縮前の画像データを圧縮し、画像リング２４０へ転送するバスブリッジである。本実施の形態では、多値画像データにはＪＰＥＧを、２値画像データにはパックビッツを圧縮アルゴリズムとして採用している。
【００３８】
コマンド処理部２４５は、両画像リングインターフェース２４２，２４３への接続に加え、レジスタ設定バス２４９に接続されている。コマンド処理部２４５は、画像リング２４０を介して入力されたＣＰＵ２０６ａ，２０６ｂより発行されたレジスタ設定要求を、レジスタ設定バスに接続される該当ブロックへ書き込むものである。また、コマンド処理部２４５は、ＣＰＵ２０６より発行されたレジスタ読み出し要求に基づき、レジスタ設定バス２４９を介して該当レジスタより情報を読み出し、画像リングインターフェース（４）２４３に転送する。
【００３９】
ステータス処理部２４６は、各画像処理ブロックの情報を監視し、ＣＰＵ２０６に対してインタラプトを発行するためのインタラプトパケットを生成し、画像リングインターフェース（４）２４３に出力するものである。タイルバス２４８には、上記ブロックに加え、レンダリング部インターフェース２５０、画像入力インターフェース２５１、画像出力インターフェース２５２、多値化処理部２５３、２値化処理部２５４、画像回転部（１）２５５、画像回転部（２）２５６、解像度変換部２５７、画像特性情報置換部２５８、外部バスインターフェース部２６２が、それぞれ接続されている。
【００４０】
また、タイルバス２４８はバス・コントローラも含む。
【００４１】
レンダリング部インターフェース２５０は、後述するレンダリング部２６７により生成されたビットマップイメージを入力するインターフェースである。レンダリング部２６７とレンダリング部インターフェース２５０は、一般的なビデオ信号２５９にて接続される。レンダリング部インターフェース２５０は、タイルバス２４８への接続に加え、メモリバス２６０、レジスタ設定バス２４９に接続されている。レンダリング部インターフェース２５０は、入力されたラスタ画像を、レジスタ設定バス２４９を介して設定された所定の方法によりタイル画像への構造変換を行うと同時にクロックの同期化を行い、タイルバス２４８に対して出力するものである。
【００４２】
画像入力インターフェース２５１は、スキャナ２０２からのスキャン画像データを入力とし、タイル画像への構造変換及びクロックレートの変更を行い、画像処理部２４１へ出力するものである。画像出力インターフェース２５２は、タイルバス２４８からのタイル画像データを入力とし、ラスタ画像への構造変換及びクロックレートの変更を行い、ラスタ画像をプリンタ用画像処理部２６１へ出力する。
【００４３】
多値化処理部２５３は、２値画像を多値データへ変換するものである。２値化処理部２５４は、多値（カラー及びグレースケール）画像を２値化するものである。画像回転部（１）２５５及び画像回転部（２）２５６は、画像データの回転を行うものである。解像度変換部２５７は、画像の解像度の変換を行うものである。画像特性情報置換部２５８は、受信した画像特性情報を代替特性情報へ変換し、他ブロックへ送信するものである。
【００４４】
外部バスインターフェース部２６２は、画像リングインターフェース（１）〜（４）、コマンド処理部２４５、レジスタ設定バス２４９を介し、ＣＰＵ２０６ａ，２０６ｂにより発行された書き込み・読み出し要求を外部バス（３）２６３に変換出力するバスブリッジである。外部バス（３）２６３は、本実施の形態では、プリンタ用画像処理部２６１及びスキャナ用画像処理部２６４に、それぞれ接続されている。
【００４５】
２６５はメモリ制御部で、メモリバス２６０に接続されている。メモリ制御部２６５は、各画像処理部の要求に従い、予め設定されたアドレス分割により、画像メモリ（１）２６６ａ及び画像メモリ（２）２６６ｂに対して、画像データの書き込み・読み出し、必要に応じてリフレッシュ等の動作を行うものである。本実施の形態では、画像メモリ（１）２６６ａ及び画像メモリ（２）２６６ｂにＳＤＲＡＭを用いている。
【００４６】
プリント用画像処理部２６１は、プリンタ出力のための補正画像処理を行い、その結果をプリンタ２０３へ出力するものである。スキャナ用画像処理部２６４は、画像入力デバイスであるスキャナ２０２によりスキャンされた画像データを補正画像処理するものである。レンダリング部２６７は、ＰＤＬコード若しくは中間ディスプレイリストをビットマップイメージに展開するものである。
【００４７】
〔無線ＩＣチップ入り用紙（原稿）〕
図３は、本実施の形態に係る画像処理装置１０１に用いる無線タグ（情報媒体）入り用紙（原稿）の構成を示す図である。
【００４８】
図３において、３０１は用紙（原稿）で、情報媒体である無線タグ３０２が埋め込まれている。この無線タグ３０２は、リード／ライト可能なＲＦＩＤ (Radio Frequency Identification)タグと一般に呼ばれているもので、０．２ｍｍ程度に小型化して紙に埋め込まれている。そして、無線タグ３０２は、３０３に示したように、オリジナルデータに対する原稿３０１のコピー世代を表す世代情報と最大コピー世代という２つの世代情報及び累積コピー枚数と最大コピー枚数という２つの枚数情報が記憶されている。ここで、世代情報は、オリジナルが０、オリジナルからコピーによって得た出力が１、さらに出力された画像をコピーすることによって得た出力が２、というように増加していく。
【００４９】
本実施の形態に係る画像処理装置１０１では、記録用紙及び原稿に無線入りタグ用紙及び通常のタグ無し原稿及び用紙を使用することが可能である。
【００５０】
〔スキャナ部〕
図４は、本実施の形態に係る画像処理装置１０１のスキャナ部の概略構成を示す側面図である。
【００５１】
図４において、４０１は原稿トレイ、４０２は原稿給送ローラ、４０３は原稿給送ベルト、４０４は原稿台ガラスである。この原稿台ガラス４０４より上がＤＦ(Document Feader)部で、下が光電変換部である。４０５はＲＦＩＤ読み取りアンテナ、４０６はＲＦＩＤ書き込みアンテナ、４０７は原稿排出ローラ、４０８は原稿排出トレイ、４０９はハロゲンランプ、４１０はミラー、４１１はレンズ、４１２はＣＣＤ（光電変換素子）である。
【００５２】
図４において、原稿トレイ４０１上にセットされた原稿が原稿給送ローラ４０２によって給送され、更に原稿給送ベルト４０３によって原稿台ガラス４０４の上へ給送される。その間に、原稿上に無線タグがあれば、その情報がＲＦＩＤ読み取りアンテナ４０５によって読み取られる。原稿台ガラス４０４へ原稿がセットされると、ハロゲンランプ４０９が点灯し、原稿を照射した反射光はミラー４１０により反射され、レンズ４１１を介してＣＣＤ４１２によって光電変換される。これにより、光学的に読み取った画像が電気データに変換される。その後、ハロゲンランプ４０９等の読取ユニットが図４の右方向へ移動して原稿を全て読み取ると、転写ベルト４０３が作動し、原稿は排出ローラ４０７により原稿排出トレイ４０８へ排出される。その間に、必要に応じてＲＦＩＤ書き込みアンテナ４０６により、原稿上の無線タグの情報内容を書き換える。
【００５３】
〔プリンタ部〕
図５は、本実施の形態に係る画像処理装置１０１のカラープリンタ部の内部構成を示す側面図である。
【００５４】
図５において、５０１はポリゴンミラーで、４つの半導体レーザより発光された４本のレーザ光を受けるものである。４本のレーザの内の１本は、ミラー５０２，５０３，５０４を経て感光ドラム５０５を走査し、次の１本はミラー５０６，５０７，５０８を経て感光ドラム５０９を走査し、次の１本はミラー５１０，５１１，５１２を経て感光ドラム５１３を走査し、次の１本はミラー５１４，５１５，５１６を経て感光ドラム５１７を走査する。
【００５５】
５１８はイエロー(Y)のトナーを供給する現像器で、レーザ光に従い、感光ドラム５０５上にイエローのトナー像を形成する。５１９はマゼンタ(M)のトナーを供給する現像器で、レーザ光に従い、感光ドラム５０９上にマゼンタのトナー像を形成する。５２０はシアン(C)のトナーを供給する現像器で、レーザ光に従い、感光ドラム５１３上にシアンのトナー像を形成する。５２１はブラック(K)のトナーを供給する現像器で、レーザ光に従い、感光ドラム５１７上にブラックのトナー像を形成する。
【００５６】
以上４色(Y,M,C,K)のトナー像が用紙に転写され、フルカラーの出力画像を得ることができる。
【００５７】
５２２，５２３は用紙カセット、５２４は手差しトレイである。用紙カセット５２２，５２３及び手差しトレイ５２４のいずれかより給送された用紙は、レジストローラ５２５を経て、転写ベルト５２６上に吸着され、搬送される。用紙給送のタイミングと同期がとられて、予め感光ドラム５０５，５０９，５１３，５１７には各色のトナーが現像されており、用紙の搬送と共に、トナーが用紙に転写される。
【００５８】
各色のトナーが転写された用紙は、分離され、搬送ベルト５２７により搬送され、定着器５２８によって、トナーが用紙に定着された後、装置外部へ排出される。
【００５９】
なお、４つの感光ドラム５０５，５０９，５１３，５１７は、互いに距離dを存して等間隔に配置されており、搬送ベルト５２７により、用紙は一定速度vで搬送され、このタイミング同期がなされて、４つの半導体レーザは駆動される。
【００６０】
５２９は無線タグ書き込み器で、用紙（シート）が下部を通過する際に、そこに搭載された無線タグチップに対してデータの書き込みを行うものである。
【００６１】
また、本実施の形態においては、用紙カセット５２２，５２３の内のいずれかに無線タグ付きシートをセットし、利用時に取り出して使用する。また、通常の用紙を併用する場合には、無線タグ付きシートをセットしたカセットとは別のカセットに用紙をセットして使用する。全てに無線タグ付きシートを用いる場合には、無線タグ付きシートがセットされたカセット或いはトレイから全てを給送する。また、ＪＯＢの先頭等の限られた場合に無線タグ付きシートを使用する場合には、ＪＯＢの先頭のみ無線タグ付きシートがセットされたカセット或いはトレイから無線タグ付きシートを給送し、その他の場合には、通常の用紙のセットされたカセット或いはトレイから給送する。
【００６２】
〔無線タグを用いたコピー処理〕
次に、本実施の形態に係る画像処理装置１０１における無線タグを用いたコピー処理動作について、図６のフローチャートを用いて説明する。
【００６３】
まず、ステップＳ６０１で、ＲＦＩＤ読み取りアンテナ４０５（図４参照）及びＲＦＩＤインターフェース２６８（図２参照）を介して、原稿用紙の無線タグが読み取れるか否かをシステム制御部２００（図２参照）が判断する。そして、無線タグを検知できなかった場合には、ステップＳ６１３へ進んで、従来通りの光学的な原稿読み取りを行い、その読み取った情報をステップＳ６１０で印刷した後、本処理動作を終了する。
【００６４】
また、前記ステップＳ６０１において、無線タグを検知できた場合は、ステップＳ６０２へ進んで、ＲＦＩＤ読み取りアンテナ４０５及びＲＦＩＤインターフェース２６８を介して、無線タグに格納されている世代情報と最大コピー世代という２つの世代情報及び累積コピー枚数と最大コピー枚数という２つの枚数情報をシステム制御部２００が獲得する。システム制御部２００は、獲得した情報に基づき、以下のフローを順次処理する。
【００６５】
即ち、ステップＳ６０３で、世代情報が最大コピー世代と一致しているか否かを判断する。そして、世代情報が最大コピー世代と一致している場合は、それ以上のコピーを禁止しているので、ステップＳ６１１へ進んで、画像処理装置１０１の操作部２３２（図２参照）にコピー禁止の表示をした後、本処理動作を終了する。
【００６６】
また、前記ステップＳ６０３において、世代情報が最大コピー世代と一致していない場合は、ステップＳ６０４へ進んで、累積コピー枚数と最大コピー枚数の差分が所望のコピー枚数よりも少ないか否かを判断する。そして、累積コピー枚数と最大コピー枚数の差分が所望のコピー枚数よりも少ない場合は、ステップＳ６１２へ進んで、画像処理装置１０１の操作部２３２にコピー可能枚数を超過している旨の表示をした後、本処理動作を終了する。
【００６７】
また、前記ステップＳ６０４において、累積コピー枚数と最大コピー枚数の差分が所望のコピー枚数よりも少なくない場合は、ステップＳ６０５へ進んで、システム制御部２００はスキャナ用画像処理部２６４（図２参照）と画像処理部２４１（図２参照）を経由して、原稿画像の読み取りを行う。その後、ステップＳ６０６で、コピーされた部数に応じて、原稿の枚数情報を更新し、ステップＳ６０７で、ＲＦＩＤインターフェース２６８、無線タグ書き込みアンテナ４０６を介して無線タグ内のデータを更新する。
【００６８】
原稿の読み取りが終了すると、画像処理装置１０１は、ステップＳ６０８で、原稿の無線タグより得られた世代情報と枚数情報とから記録紙用の世代情報と枚数情報とを生成する。記録紙用の世代情報は、原稿の世代情報より＋１インクリメントされた世代となる。また、累積のコピー枚数は初期値（０）である。最大世代情報及び最大コピー枚数情報は、原稿のタグ情報と同じにする。
【００６９】
世代情報を生成した後、システム制御部２００は、画像処理部２４１及びプリンタ用画像処理部２６１を経由してプリンタ２０３にデータを転送し、プリント動作を開始する。そして、ステップＳ６０９で，無線タグ書き込み器５２９（図５参照）により無線タグに各情報を書き込むと共に、ステップＳ６１０で，記録用紙への印刷を実行し、その後、本処理動作を終了する。
【００７０】
なお、本実施形態のように無線タグが付加された原稿を、当該無線タグに記憶された情報に基づきコピーする際は、情報書き込み可能な無線タグが付加された用紙以外へのプリントを禁止するようにする。これにより、無線タグに記憶されている情報に基づくコピーの制限を確かなものとすることが可能となる。
【００７１】
以上説明した通り、画像読み取り手段からの画像入力時、原稿中に埋め込まれた無線タグから原稿画像の属性情報を読み出し、その属性情報に応じてシステムの動作を制限することにより、情報の機密性を高めたり、著作権保護の効果が得られる。また、システムの動作工程に基づき更新された属性情報に基づき、原稿の無線タグ中の情報を書き換える共に、記録媒体中の無線タグにも前記属性情報を新たに生成して書き込むことにより、更に機密性や著作権の保護の効果を高めることができる。
【００７２】
以上が本発明の実施形態の説明であるが、本発明は、これら実施形態に限られるものではなく、特許請求の範囲で示した機能、または実施形態の構成が持つ機能を達成できる構成であれば、どのようなものであっても適用可能である。
【００７３】
また、本発明の目的は、前述した実施形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００７４】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７５】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【００７６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００７７】
【図１】本発明の第１の実施形態に係る情報処理装置を有する情報処理システムの全体構成を示す図である。
【図２】本発明の第１の実施形態に係る情報処理装置の構成を示すブロック図である。
【図３】本発明の第１の実施形態に係る情報処理装置において用いる無線タグ付きの用紙（原稿）の一例を示す図である。
【図４】本発明の第１の実施形態に係る情報処理装置のスキャナ部の構成を示す側面図である。
【図５】本発明の第１の実施形態に係る情報処理装置のプリンタ部の構成を示す側面図である。
【図６】本発明の第１の実施形態に係る情報処理装置の動作の流を示すフローチャートである。
【符号の説明】
【００７８】
１０１          情報処理装置
１０１′        情報処理装置
１０２          ローカルエリアネットワーク（ＬＡＮ）
１０３          ＰＳＴＮ（またはＩＳＤＮ）
１０４          データベースサーバ
１０４′        データベースサーバ
１０５          データベースクライアント
１０６          電子メールサーバ
１０６′        電子メールサーバ
１０７          電子メールクライアント
１０８          ＷＷＷサーバ
１０８′        ＷＷＷサーバ
１０９          ルータ
１１０          インターネット／イントラネット
１１１          ＦＡＸ装置
１１２          プリンタ
２００          システム制御部
２０１          コントローラユニット
２０２          スキャナ
２０３          プリンタ
２０４          ＬＡＮ
２０５          公衆回線（ＷＡＮ）
２０６ａ        ＣＰＵ
２０６ｂ        ＣＰＵ
２０７          ＣＰＵバス
２０８          システムバスブリッジ
２０９          ＲＡＭ（ランダムアクセスメモリ）コントローラ
２１０          ＲＯＭ（リードオンリーメモリ）コントローラ
２１１          ＩＯバス（１）２１１
２１２          サブバススイッチ２１２
２１３          ＩＯバス（２）
２１４          画像リングインターフェース（１）
２１５          画像リングインターフェース（２）
２１６          画像ＤＭＡ（１）
２１７          画像ＤＭＡ（２）
２１８          フォント伸張部
２１９          ソート回路
２２０          ビットマップトレース回路
２２１          ＲＡＭ（ランダムアクセスメモリ）
２２２          ＲＯＭ（リードオンリーメモリ）
２２３          画像圧縮部
２２４          レジスタアクセスリング
２２５          画像伸張部
２２６          ＬＡＮコントローラ
２２７          ＵＳＢインターフェース
２２８          汎用シリアルポート
２２９          インタラプトコントローラ
２３０          ＧＰＩＯインターフェース
２３１          操作部インターフェース
２３２          操作部
２３３ａ        汎用バスインターフェース（１）
２３３ｂ        汎用バスインターフェース（２）
２３４ａ          ＰＣＩバス
２３４ｂ          ＰＣＩバス
２３５          ＨＤＤ（ハードディスクドライブ）
２３６          ディスクコントローラ
２３７          ＭＡＣ回路
２３８          ＰＨＹ／ＰＭＤ回路
２３９          モデム
２４０          画像リング
２４１          画像処理部
２４２          画像リングインターフェース（３）
２４３          画像リングインターフェース（４）
２４４          タイル伸張部
２４５          コマンド処理部
２４６          ステータス処理部
２４７          タイル圧縮部
２４８          タイルバス
２４９          レジスタ設定バス
２５０          レンダリング部インターフェース
２５１          画像入力インターフェース
２５２          画像出力インターフェース
２５３          多値化処理部
２５４          ２値化処理部
２５５          画像回転部（１）
２５６          画像回転部（２）
２５７          解像度変換部
２５８          画像特性情報置換部
２５９          ビデオ信号
２６０          メモリバス
２６２          外部バスインターフェース部
２６３          外部バス（３）
２６４          スキャナ用画像処理部
２６５          メモリ制御部
２６６ａ        画像メモリ（１）
２６６ｂ        画像メモリ（２）
２６７          レンダリング部
２６８          ＲＦＩＤインターフェース
３０１          用紙（原稿）
３０２          無線タグ（情報媒体）
３０３          情報
４０１          原稿トレイ
４０２          原稿給送ローラ
４０３          原稿給送ベルト
４０４          原稿台ガラス
４０５          ＲＦＩＤ読み取りアンテナ
４０６          ＲＦＩＤ書き込みアンテナ
４０７          原稿排出ローラ
４０８          原稿排出トレイ
４０９          ハロゲンランプ
４１０          ミラー
４１１          レンズ
４１２          ＣＣＤ（光電変換素子）
５０１          ポリゴンミラー
５０２          ミラー
５０３          ミラー
５０４          ミラー
５０５          感光ドラム
５０６          ミラー
５０７          ミラー
５０８          ミラー
５０９          感光ドラム
５１０          ミラー
５１１          ミラー
５１２          ミラー
５１３          感光ドラム
５１４          ミラー
５１５          ミラー
５１６          ミラー
５１７          感光ドラム
５１８          現像器
５１９          現像器
５２０          現像器
５２１          現像器
５２２          用紙カセット
５２３          用紙カセット
５２４          手差しトレイ
５２５          レジストローラ
５２６          転写ベルト
５２７          搬送ベルト
５２８          定着器
５２９          無線タグ書き込み器
【図１】
2005148240.tif 000003
【図２】
2005148240.tif 000004
【図３】
2005148240.tif 000005
【図４】
2005148240.tif 000006
【図５】
2005148240.tif 000007
【図６】
2005148240.tif 000008